(57)【要約】【課題】家庭用の電気掃除機で布団やカーテンを掃除する際、布地の吸い込みを防ぐと共に、布団内部に溜まっている埃などを効率よくかき出し、掃除機に吸い込ませる。また、寝ている絨毯の毛を起こし、内部の埃も吸い出す事ができる。【解決手段】略正方形で一定の厚さを有する板状の本体の中央部分に、網目形状を設けるともに、表裏に複数の突起を設ける。本体は、掃除機の吸い込み口に巻きつけ、キノコ形状の突起と貫通孔の嵌合にて、着脱自在とする。【選択図】図１
0003133800.tif 000002
【実用新案登録請求の範囲】
【請求項１】
電気掃除機の吸い込み口部分に取り付ける補助掃除器具において、以下の様に構成された事を特徴とする、布団掃除器具。
１，本体は概ね正方形で、０．５〜５．０ｍｍ程度のほぼ一定の厚さを有する樹脂成形品とし、４ヶ所の角部を円弧形状等に滑らかに仕上げた構成や、４辺の１ヶ所または複数ヶ所に、掃除機の吸い込み口形状に合わせる為の、凹凸形状を設けた構成も含む。
２，本体を、略正方形の１辺と平行に３つの長方形に分けた時、中央の長方形部分は、その面積の５０％以上を、多数の貫通孔を有する網目形状とする。
３，網目形状部分の、表面または裏面または表裏両面に、複数の突起形状を設ける。
４，残りの両側の長方形部分の内、一方または両方には、その相対する長辺の略中央部に、略Ｕ字型の切り込み形状を設ける。
５，両側の長方形部分の一方の表面には、複数の略キノコ状の突起を設ける。
６，両側の長方形部分の他方には、上記のキノコ状の突起が着脱可能に嵌合する、複数の貫通孔を装置する事により、本体を筒状に折り曲げた状態で保持可能に構成する。
【請求項２】
以下のいずれか、または全ての構造を有する、請求項１に記載の、布団掃除器具。
１，中央部に設けた網目状の貫通孔は、一部または全部を、細長いスリット形状とした。
２，中央部に設けた突起は、円錐または角錐形状とし、角部を滑らかにした形状も含む。
３，中央部に設けた突起は、略平行に並べた蒲鉾形状または、これに類する形状とした。
４，長方形部分３ヶ所の各境界線近傍の厚さを、一定の幅で他の部分よりも薄く構成した。尚、厚さを薄くする部分は、２ヶ所の境界毎に、１列または複数列とする。
５，中央部の長方形部分に設ける突起は、同形状で、一定間隔に並べて配置した。
６，中央部の長方形部分に設ける突起は、一定間隔で並べて配置し、一列毎または複数列毎に、高さ・形状を変えた。また、高さ・形状・配置を、表裏で異なる様に装置した。
７，中央部の長方形部分に設ける突起は、その配置間隔・高さ・形状を、ランダムとした。
８，中央部の長方形部分に設けられた突起部分には、突起の位置と形状に合わせた貫通孔を有する板状部材を着脱可能に構成した。尚、着脱可能とは、凹凸の嵌合い・磁石・面ファスナー・フック・吸盤・ボタン・ベルト、または、これらに類する構成とする。
９，上記板状部材を紙等で構成し、接着・貼付け・挟み込み等で保持する構成とした。
１０，本体両側の長方形部分に設けられた突起形状は、１列または複数列で、１列当りの突起は２個以上とし、反対側に設けた貫通孔は複数列とした。
１１，本体両側の長方形部分に設けた、着脱可能な嵌合装置は、凹凸の嵌合い・磁石・面ファスナー・フック・吸盤・ボタン、または、これらに類する構成とした。
１２，本体の材質を、ゴムまたは、アルミ等の軽金属とした。
１３，本体の基本形状を、横長または縦長の長方形、長円形、または、台形とした。
【考案の詳細な説明】
【技術分野】
【０００１】本発明は、一般家庭に広く普及している電気掃除機の吸い込み口に取り付け、主として、布団やカーテンや絨毯などを掃除する為の器具に関する。
【背景技術】
【０００２】掃除機の吸い込み口に、網目状の部材を取り付け、布地が掃除機に吸い込まれる問題を防ぐ為の器具は存在するが、布団内部の埃等をかき出す事ができず、また、網目状の部材にゴミが溜まり、逆に不衛生になるなどの問題が有った。
【考案の開示】
【考案が解決しようとしている課題】
【０００３】掃除機に取り付けて、布団やカーテンが吸い込まれる事を防ぐ器具としては、例えば下記の先願等が公知となっている。
特許公開２００３−２６５３７４
特許公開２００３−３１９８９５
特許公開２００２−２３３４７８
登録実用新案第３０８６０９６号
しかし、上記の発明や考案は、布地を吸い込まないだけで、布団内部の埃などをかき出す機能が無く、表面が汚れた場合は掃除が難しかった。また、全体を嵌め込む発明では、掃除機に取り付けた状態での安定性が悪く、ベルトで取り付ける発明では、着脱作業が繁雑になる欠点が有った。
また、掃除機の吸い込み口に、使い捨ての紙を着脱自在に取り付ける発明として、下記の先願等が有る。
特許公開２００３−１３５３２２
しかし、上記の発明は詳細仕様が不明で商品として成立せず、また、ベルトによる着脱が繁雑になる欠点が有った。
【課題を解決する為の手段】
【０００４】１、板状の本体に、複数の貫通孔とキノコ状の突起を設ける事で、掃除機の吸い込み口の形状に合わせて簡単に着脱可能となり、取り付け状態でも安定する。
２、掃除機の吸い込み口に当てる部分は、網目形状とする事で布地の吸い込みを防ぐと同時に、表面に多数の突起を設ける事で、布団の表面に断続的な刺激を与える。
３、表面に、着脱自在の板状部材を装着する事で、本体の表面に付着したゴミなどを、簡単に処理する事ができる。
【考案の効果】
【０００５】本考案によれば、布団やカーテン専用の掃除機を購入しなくても、既存の掃除機で布団やカーテンや絨毯の掃除が可能となる。
また、吸い込み口に当たる部分に高さの異なる突起をランダムに装置する事で、掃除機で布団等の表面をなぞる際、布団に断続的な刺激を与える事になり、内部に溜まった埃などを容易にかき出す事ができる上、絨毯に使用すれば、寝ている毛を起こし、内部の埃までも、吸い出す事ができる。
掃除機の吸い込み口に当たる網目部分に、板状部材を着脱自在に装置すれば、溜まった埃やゴミは、板状部材を取り外す事で、簡単に清掃する事ができる。
【考案を実施するための最良の形態】
【０００６】１，略正方形で、０．５〜５．０ｍｍ程度のほぼ一定の厚さを有する樹脂成形品の本体を、３つの長方形に分けた時、中央の長方形部分は、網目形状とする。
２，網目形状部分の、表面または裏面または表裏両面に、複数の突起形状を設ける。
３，両側の長方形部分の内、一方または両方に、略Ｕ字型の切り込み形状を設ける。
４，両側の長方形部分の一方の表面には、複数の略キノコ状の突起を設け、他方の長方形部分には、キノコ状の突起が嵌合する貫通孔を複数設ける。
以上の様に装置する。
【実施例】
【０００７】図１は、請求項１と２に記載された内容に基づく、本考案品の実施例の、正面図である。
樹脂等で成形された、略正方形で板状の本体１は、厚さを薄くした部分７で折り曲げる事が可能で、掃除機の吸いこみ口部分１１に巻き付ける事ができる。その際、Ｕ字型の切り込み２により、掃除機の吸い込みパイプに干渉する事無く、巻き付ける事ができる。
巻き付け後は、キノコ状の突起５を貫通孔６に嵌め込む事で、簡単に取付けが完了する。【０００８】３は、多数の貫通孔を有する網目形状部分であり、掃除機の吸い込み口に当てる事で、布団の布地やカーテン等が吸い込まれる事を防止する。
４は、網目形状部分に設けられた多数の突起であり、高さ・大きさ・形状を一定とせずに、ランダムに配置する事が望ましい。以上の様に装置する事で、掃除機の吸い込み口１１を布団等の表面で前後左右に動かした際、布団に断続的な刺激を与え、布団内部に溜まった埃などをかき出す事ができる。かき出した埃などは、そのまま網目形状３を通過して掃除機に吸い込まれる為、極めて利便性が高い。【０００９】図２は、本考案品の断面図であり、７の部分は、厚さが薄くなっている事を示す。尚、多数の突起４を、図２の様に表裏両方に設け、それぞれ高さや配置を変えておけば、本体を裏返して使用する事で、色々な布団やカーテン生地に対応する事ができる。【００１０】図３は、請求項１と２に記載された内容に基づく本考案品の、他の実施例の正面図を表す。
掃除機によっては、吸い込み口の幅が広い機種もあるが、本実施例の形状ならば、幅を広くした凸形状部分８により、掃除機の吸い込み口に、網目形状部分を確実に合わせる事ができる。
また、９は、前述のキノコ状突起５の替わりに設けた磁石を示す。１０は、貫通孔６の替わりに設けた鉄板であり、本体１を掃除機の吸い込み口１１に巻き付けた際、磁石９を、鉄板１０に吸着させる事で、掃除機への取り付けが完了する構成の実施例を表す。【００１１】１２は、本考案品の表面に着脱自在に取り付ける、薄い板状の部材であり、空気が流れるように、全体を網目形状に装置する。また、本体１に取り付ける為の貫通孔１３を複数設ける。尚、本体１に設けた、布団内部のゴミをかき出す為の突起４の内、所定の数量の突起を、１３の貫通孔に嵌合できるよう、キノコ形状に装置しておけば、板状部材１２は、簡単に本体１に着脱可能となり、掃除終了後に１２を取り外せば、付着したゴミを容易に処理できる。
【産業上の利用可能性】
【００１２】本考案によれば、掃除機に容易に着脱可能な、布団やカーテンの掃除器具を提供する事が可能で、また、寝ている絨毯の毛を起こして内部に溜まった埃までも掃除する事ができる。尚、本考案品の本体は、樹脂成形により容易に製造可能となる。
【図面の簡単な説明】
【００１３】
【図１】本考案の、請求項１及び２に基づく実施例の、正面図を表す。
【図２】本考案の、請求項１及び２に基づく実施例の、断面図を表す。
【図３】本考案の正面図であり、図１以外の実施例を表す。
【図４】本考案の、請求項２に記載の、板状部材を表す。
【図５】本考案の本体を、掃除機に取り付けた状態の、斜視図を表す。
【符号の説明】
【００１４】  １、本考案品の本体
２、Ｕ字型の切り込み
３、多数の貫通孔を有する、網目形状部分
４、布団や絨毯内部のゴミや埃をかき出す為の、多数の突起
５、本体を折り曲げた状態で保持する為の、キノコ状の突起
６、キノコ状の突起と嵌合する、貫通孔
７、本体を折り曲げ易くする為に、本体の厚さを薄くした部分
８、掃除機の吸い込み口の形状に合わせた、本体の凸形状部分
９、本体を折り曲げた状態で保持する為の、磁石
１０、磁石を吸着させる為の、鉄板
１１、電気掃除機の、吸い込み口
１２、本体に着脱可能で、ゴミを処理する為の板状部材
１３、板状部材を本体に取り付ける為の貫通穴
１４、本考案品を、掃除機に取り付けた状態
【図１】
0003133800.tif 000003
【図２】
0003133800.tif 000004
【図３】
0003133800.tif 000005
【図４】
0003133800.tif 000006
【図５】
0003133800.tif 000007